(57)【要約】      （修正有）【課題】住宅内の有効スペースを大きく奪うことがなく、緊急時にユーザーがとっさに取り出して使用することができ、ユーザーの経済的負担を最小限に止めることができる、災害避難用具としての浮く畳を提供する。【解決手段】内部に空気等の気体が封入された空洞部２を備えた本体１と、前記本体の表面側に取り付けられ畳と同一又は類似の外観又は意匠を有するカバーとを備えた浮く畳である。前記本体は、その内部に複数個の互いに独立の空洞部を備えていてもよい。前記本体には、ロープ、ライト、缶詰等の災害時に使用できる有体物を収容可能な災害用品収容部３を備えていてもよい。前記本体の端部には、ロープ等を取り付けることができる把持係止部４を備え、前記本体の表面部分側の全部又は一部は蛍光物質を含む。【選択図】図１
0003224560.tif 000002
【実用新案登録請求の範囲】
【請求項１】
内部に空気等の気体が封入された空洞部を備えた本体と、前記本体の表面側に取り付けられ畳と同一又は類似の外観又は意匠を有するカバーとを備えたことを特徴とする浮く畳。
【請求項２】
内部に複数個の互いに独立の空洞部を備え、当該各空洞部中の少なくとも複数個に空気等の気体が封入されている本体と、前記本体の表面側に取り付けられ畳と同一又は類似の外観又は意匠を有するカバーとを備えたことを特徴とする浮く畳。
【請求項３】
前記本体には、前記空気等の気体が封入された空洞部と隣接した位置に配置された空洞状の災害用品収容部であって、ロープ、ライト、保温マット、缶詰、乾パンなどの災害時に使用できる有体物が収容可能な災害用品収容部と、前記災害用品収容部から前記有体物を取り出すための開口部とがさらに備えられた請求項１に記載の浮く畳。
【請求項４】
前記互いに独立の各空洞部のいずれか１つ又は複数個は、ロープ、ライト、保温マット、缶詰、乾パンなどの災害時に使用できる有体物が収容可能に構成されており、前記有体物が収容可能な空洞部には前記有体物を取り出すための開口部及び扉部が備えられている、請求項２に記載の浮く畳。
【請求項５】
前記本体の１つ又は複数の端部には、ユーザーが把持することができるか又はロープその他の紐状体若しくはそれらの端部に固定されたフックを取り付けることができる把持係止部が備えられている請求項１又は２に記載の浮く畳。
【請求項６】
前記本体の表面部分の少なくとも一部に蛍光物質を含むようにするか又は前記本体の表面部分の少なくとも一部を蛍光物質を含むコーティング材により覆うようにした請求項１又は２に記載の浮く畳。
【考案の詳細な説明】
【技術分野】
【０００１】
本考案は、津波、大雨、洪水などの水害その他の災害時に有用な避難用具に関する。
【背景技術】
【０００２】
従来より、津波、大雨、洪水などの水害その他の災害時に住民が避難できるようにする目的で、水に浮くことができるシェルター装置などを住宅に配置することが提案されている（例えば引用文献１参照）。
【先行技術文献】
【特許文献】
【０００３】
【特許文献１】実用新案登録第３２０６７４７号公報
【考案の概要】
【考案が解決しようとする課題】
【０００４】
しかしながら、引用文献１に示すようなシェルター装置は、住宅内の有効スペースを大きく奪ってしまう、緊急時にとっさに取り出して戸外で利用することが難しい、製造コストが過大となってしまうなどの問題点があった。
【０００５】
本考案はこのような従来技術の問題点に着目して為されたものであって、住宅内の有効スペースを大きく奪うことがなく、津波・大雨・洪水などの災害等の緊急時にユーザーがとっさに取り出して戸外等で使用することができ、ユーザーの経済的負担を最小限に止めることができる、災害避難用具としての浮く畳を提供することを目的とする。
【課題を解決するための手段】
【０００６】
このような課題を解決するための本考案による浮く畳は、内部に空気等の気体が封入された空洞部を備えた本体と、前記本体の表面側に取り付けられ畳と同一又は類似の外観又は意匠を有するカバーとを備えたことを特徴とするものである。
【０００７】
また、本考案による浮く畳は、内部に複数個の互いに独立の空洞部を備え、各空洞部中の少なくとも複数個には空気等の気体が封入されている本体と、前記本体の表面側に取り付けられ畳と同一又は類似の外観又は意匠を有するカバーとを備えたことを特徴とするものである。
【０００８】
また、本考案においては、前記本体に、前記空気等の気体が封入された空洞部と隣接した位置に配置された空洞状の災害用品収容部であって、ロープ、ライト、保温マット、缶詰、乾パンなどの災害時に使用できる有体物が収容可能な災害用品収容部と、前記災害用品収容部から前記有体物を取り出すための開口部とがさらに備えられていてもよい。
【０００９】
また、本考案において、前記互いに独立の各空洞部のいずれか１つ又は複数個は、ロープ、ライト、保温マット、缶詰、乾パンなどの災害時に使用できる有体物が収容可能に構成されており、前記有体物が収容可能な空洞部には前記有体物を取り出すための開口部及び扉部が備えられていてもよい。
【００１０】
また、本考案において、前記本体の１つ又は複数の端部には、ユーザーが把持することができるか又はロープその他の紐状体若しくはそれらの端部に固定されたフックを取り付けることができる把持係止部が備えられていてもよい。
【００１１】
さらに、本考案においては、前記本体の表面部分の少なくとも一部に蛍光物質を含むようにするか又は前記本体の表面部分の少なくとも一部を蛍光物質を含むコーティング材により覆うようにしてもよい。
【考案の効果】
【００１２】
本考案に係る浮く畳は、内部に空気等の気体が封入された空洞部を備えた本体と、前記本体の表面側に取り付けられ畳と同一又は類似の外観又は意匠を有するカバーとを備えているので、ユーザーは、水害等の災害時に、この浮く畳を、イカダ又はボートのように使用するなどして、水害等から避難することができる。そして、この浮く畳は、日常的には、通常の畳として住宅内に配置して使用することができるので、従来のシェルターなどと異なって、住宅内の有効スペースを大きく奪うことがない。また、この浮く畳は、日常的に、ユーザーの身近に置いて使用されるので、ユーザーは、津波・大雨・洪水などの水害その他の緊急時に、とっさに取り出して戸外等で使用することができる。さらに、この浮く畳は、住宅に設置する「従来の畳」を代替するものであるから、ユーザーは、「従来の畳を購入するための費用」をこの「浮く畳の購入費用」に流用することができるので、浮く畳を購入するためのユーザーの経済的負担を最小限に止めることができる。
【００１３】
また、本考案において、浮く畳の本体の内部に複数個の互いに独立の空洞部を備え、各空洞部中の少なくとも複数個に空気等の気体が封入されるようにしたときは、もし仮に本体の一部が損傷してその損傷箇所に対応する空洞部の密閉状態が破られてしまった場合でも、他の複数の互いに独立の空洞部はそのまま密閉状態を維持できるので、ユーザーは、当該浮く畳を、確実に水上に浮かばせて、イカダ又はボートのように使用するなどして、水害等から避難することができる。
【００１４】
また特に、本考案において、前記本体に、前記空気等の気体が封入された空洞部と隣接した位置に、ロープ、ライト、保温マット、缶詰、乾パンなどの災害時に使用できる有体物が収容可能な災害用品収容部を配置するようにしたときは、緊急避難時には、前記災害用品収容部から（その開口部を介して）ロープ、ライト、保温マット、缶詰、乾パンなどを取り出して、災害からの避難のために役立てることができる。
【００１５】
また特に、本考案において、前記本体の１つ又は複数の端部に、ユーザーが把持することができるか又はロープその他の紐状体若しくはそれらの端部に固定されたフックを取り付けることができる把持係止部を備えるようにしたときは、ユーザーは、これを手で持つか当該浮く畳の１つ又は複数の端部にロープなどの紐状体を取り付けることなどにより、当該浮く畳の上でも、イカダの上に居るのと同じように、身体を安定的に維持することができる。
【００１６】
さらに、本考案において、前記本体の表面部分の少なくとも一部に蛍光物質を含むようにするか又は前記本体の表面部分の少なくとも一部を蛍光物質を含むコーティング材により覆うようにしたときは、ユーザーは、当該浮く畳を使用して水害等から避難しているとき、たとえ夜間などでも、ヘリコプターなどの遠隔に居る救援者に、自らを容易に発見してもらうことができる。
【図面の簡単な説明】
【００１７】
【図１】本考案の実施形態による浮く畳の概略構成を示す概念図である。
【図２】本実施形態による浮く畳の構成の概略を説明するための分解斜視図である。
【図３】本実施形態による浮く畳の本体に形成された把持係止部を説明するための部分斜視図である。
【考案を実施するための形態】
【００１８】
以下、本考案の実施形態に係る浮く畳について説明する。図１は本実施形態に係る浮く畳を示す概略図である。図１において、１は例えば繊維強化プラスチック（ＦＲＰ）製（又はポリカーボネートなどのプラスチック製）の本体、２は前記本体１の内部にそれぞれ形成された複数の空洞部（図１の例では、格子状に並んでいる各マスから成る計１５個の空洞部から図１の中央のマスに対応する１個の空洞部を除いた、計１４個の空洞部）であってそれぞれ互いに独立してその内部に空気が封入されるように密閉された空洞部、３は前記本体１の一部（図１の例では図示中央のマスに対応する空洞部）により形成された災害用品収容部、４は前記本体の図示四方の端部の複数箇所にそれぞれ形成された把持係止部（取っ手部）である。
【００１９】
次に、図２は、このような浮く畳の構成を説明するための分解斜視図である。図２において、１ａは計１４個のマス状の空洞部２及び１個の災害用品収容部３が形成された本体下部、１ｂは前記本体下部１ａの各空洞部２及び災害用品収容部３を図示上方から塞ぐように前記本体下部１ａの上面側に融着又は接着等で固定される本体上部である。前記本体下部１ａの上面側に前記本体上部１ｂを固定することにより、前記本体下部１ａの計１５個の空洞部中、中央の災害用品収容部３を除く残りの計１４個の空洞部２は空気が封入された状態（水中で浮力を生じさせる状態）で密閉される。なお、前記本体１は、京間、本間、江戸間など既成の様々なサイズのものとすることができる。
【００２０】
本実施形態では、前記本体上部１ｂの全部又は一部に蛍光物質が混入又は混合されているか、又は前記本体上部１ｂの全部又は一部に蛍光物質が混入又は混合されたコーティング材が被覆されている。
【００２１】
また、図２において、３ａは前記本体上部１ｂの中央部に形成された開口部であって、前記本体下部１ａの各マス状の空洞部中の中央の空洞部である災害用品収容部３に対向するように形成された開口部、３ｂはこの開口部３ａを開閉可能に設けられた扉部である。よって、前記本体下部１ａの上面側に前記本体上部１ｂが固定されたときは、前記本体下部１ａの計１５個の空洞部中の中央の空洞部から成る災害用品収容部３の上方に、開口部３ａと扉部３ｂが配置されるようになる。これにより、ユーザーは、前記災害用品収容部３内に予め、例えばロープ、保温マット、ライト（懐中電灯）、ラジオ、電池、マスク、タオル、缶詰、乾パンその他の簡易非常食などの災害時備品（非常時に使用でき役立つ有体物）を収容しておいて、水害などの非常事態が生じたとき、前記扉部３ｂを開閉して前記開口部３ａから前記災害用品収容部３内の有体物（備品）を取り出して使用することができる。
【００２２】
また、図２において、５は前記本体上部１ｂの上面側を覆うカバーシートであって、従来の畳の上面と同じ外観又は意匠を有するように、「いぐさ」などの天然素材、又は硬質ビニール、ポリプロピレンなどの樹脂素材により形成されたカバーシートである。また、前記カバーシート５は、ユーザーがカッターやハサミで切断できるように構成されている。これにより、ユーザーは、災害等の緊急時に、カッターやハサミで前記カバーシート５の一部を切断して、前記災害用品収容部３から前記有体物（備品）を取り出すことができる。なお、ユーザーは、災害等の緊急時には、前記カバーシート５の全体を前記本体上部１ｂから取り外して、前記災害用品収容部３から前記備品を取り出すこともできる。
【００２３】
次に、図３は、本実施形態に係る浮く畳に関して、ユーザーがイカダのように本体１の一部にロープ等の紐状体を取り付けたり本体１の一部を自らの手で握ったりして自らの身体の安定を図ることができる工夫について説明するための斜視図である。本実施形態では、図３に示すように、本体上部１ｂ（図２参照）の四方の端部の一部（図１参照）に、把持係止部４が備えられている。この把持係止部４は、本体上部１ｂの四方の端部の一部を図示棒状の把持係止部４だけ残るようにくり抜く（図３に示す「くり抜き穴４ａ」を形成する）ことにより、形成されている。ユーザーは、水害時などにおいて、前記本体１の本体上部１ｂの把持係止部４を自らの手で握ったり又はロープなどを前記把持係止部４に取り付けたりすることにより、自らの身体を前記本体１上で安定的に保持することができる。
【００２４】
次に本実施形態の動作を説明する。本実施形態に係る浮く畳は、少なくともその外観は通常の畳と同様なので、平時には通常の畳と同じように住宅の各部屋の床上に配置して畳として使用することができる。他方、前記本体１中の計１４個の空洞部２は、水中で浮力を生じるように、空気が封入された状態で密閉されている。そのため、水害等の災害時、例えば大雨や津波により住宅の１階又は２階が浸水し、住宅の周囲の道路の上を水が川のように流れる状態になったときは、ユーザーは、この浮く畳を取り出し、戸外の水の上に浮かべて、その上に自らが乗って安全地帯等へと避難することができる。その際、ユーザーは、前記本体１の中央部の空洞部である災害用品収容部３から災害用備品を取り出し、それらを避難等のために使用することができる。また、ユーザーは、前記災害用品収容部３からロープを取り出して、前記本体１に備えられた把持係止部４に前記ロープを取り付けて身体の安定を図ることもできる。さらに、前記本体上部１の全部又は一部には蛍光物質が混入又は混合されている（又は蛍光物質が混入又は混合されたコーティング材が被覆されている）ので、ユーザーは、夜間などでも、容易に救助隊などから発見してもらうことができる。
【００２５】
以上のように、本実施形態においては、内部に空気等の気体が封入された空洞部２を備えた本体１と、前記本体１の表面側に取り付けられ畳と同一又は類似の外観又は意匠を有するカバーシート５とを備えているので、ユーザーは、水害等の災害時に、この浮く畳を、イカダ又はボートのように使用して、水害等から避難することができる。そして、この浮く畳は、日常的には、通常の畳として住宅内に配置して使用することができるので、従来のシェルターなどと異なって、住宅内の有効スペースを大きく奪うことがない。また、この浮く畳は、日常的に、ユーザーの身近に置いて使用されるので、ユーザーは、津波・大雨・洪水などの水害その他の緊急時に、とっさに取り出して使用することができる。さらに、この浮く畳は、住宅に設置する「従来の畳」を代替するものであるから、ユーザーは、「従来の畳を購入するための費用」をこの「浮く畳の購入費用」に流用することができるので、浮く畳を購入するためのユーザーの経済的負担を最小限に止めることができる。
【００２６】
また、特に、本実施形態においては、浮く畳の本体１の内部に、複数個の互いに独立の空洞部２であって空気等の気体が封入されている複数個の空洞部２を備えるようにしているので、もし仮に本体１の一部が損傷してその損傷箇所に対応する空洞部２の密閉状態が破られてしまった場合でも、他の複数の互いに独立の空洞部２はそのまま密閉状態を維持できるので、ユーザーは、当該浮く畳を、確実に水上に浮かばせて、イカダ又はボートのように使用して、水害等から避難することができる。
【００２７】
また特に、本実施形態においては、前記本体１の、前記空気等の気体が封入された空洞部２と隣接した位置に、ロープ、ライト、保温マット、缶詰、乾パンなどの災害時に使用できる有体物が収容可能な災害用品収容部３を配置するようにしたので、ユーザーは、緊急避難時には、前記蓋部３ｂを操作して前記開口部３ａから、前記災害用品収容部３内のロープ、ライト、保温マット、缶詰、乾パンなどを取り出し、災害時の避難のために役立てることができる。
【００２８】
また特に、本実施形態においては、前記本体上部１ｂの複数の端部に、ユーザーが把持できるか又はロープその他の紐状体若しくはそれらの端部に固定されたフックを取り付けることができる把持係止部４を備えるようにしたので、ユーザーは、当該浮く畳の１つ又は複数の端部にロープなどの紐状体を取り付けることなどにより、当該浮く畳の上でも、イカダの上に居るのと同じように、身体を安定的に維持することができる。
【００２９】
さらに、本実施形態においては、前記本体上部１ｂの一部に蛍光物質を含むようにするか又は前記本体上部１ｂの一部を蛍光物質を含むコーティング材により覆うようにしたので、ユーザーは、当該浮く畳を使用して災害から避難しているとき、ヘリコプターなどの遠隔に居る救援者から、たとえ夜間でも自らを容易に発見してもらえるようになる。
【００３０】
以上、本考案の各実施例について説明したが、本考案及び本考案を構成する各構成要件は、それぞれ、前記の各実施例及び前記の各実施例を構成する各要素として述べたものに限定されるものではなく、様々な修正及び変更が可能である。例えば、前記実施形態では、ロープ、ライト、保温マット、缶詰、乾パンなどの災害時に使用できる有体物が収容可能な災害用品収容部３を前記本体１の中央に位置する空洞部により構成するようにしたが、本考案ではこれに限られることなく、前記災害用品収容部３を前記本体１の中央以外の場所に位置する空洞部により構成するようにしてもよい。また、前記実施形態では、前記本体１の内部に計１４個の比較的小さな空洞部２を形成してこれらの計１４個の空洞部２にそれぞれ空気を封入し密閉して水中で浮力を生じさせるようにしたが、本考案ではこれに限られるものではなく、例えば前記本体１の内部に形成した１個の比較的大きな空洞部に空気を封入し密閉して水中で浮力を生じさせるようにしてもよいことは勿論である。
【符号の説明】
【００３１】
１  本体
１ａ  本体下部
１ｂ  本体上部
２  空洞部
３  災害用品収容部
４  把持係止部（取っ手部）
４ａ  くり抜き穴
５  カバーシート
【図１】
0003224560.tif 000003
【図２】
0003224560.tif 000004
【図３】
0003224560.tif 000005